(57)【特許請求の範囲】
【請求項１】
監視対象のプラントと、複数のネットワーク回線を介して前記プラントへ複数の操作信号を出力するための操作装置と、前記プラントからプラント状態信号を受信する監視装置とを備えたシステムの故障模擬訓練をするプラント模擬装置において、
前記操作装置を模擬して前記複数の操作信号を出力する操作装置模擬手段と、
前記操作装置模擬手段から出力される前記複数の操作信号に基づいて前記プラントの模擬演算を実行し、この模擬演算により得られたプラント状態信号を出力するプラント模擬手段と、
前記監視装置を模擬して前記プラント模擬手段から出力される前記プラント状態信号を監視データとして受信する監視装置模擬手段と、
訓練員の操作に応じて前記操作装置模擬手段から出力される操作信号を示す操作結果情報と前記操作信号を伝送するネットワーク回線を織別するネットワーク識別情報とを対応付けて保存する操作信号データベースと、
故障模擬を実行するネットワーク回線を設定するネットワーク故障情報を保存する故障模擬データベースと、
前記故障模擬データベースの前記ネットワーク故障情報を設定する故障情報設定手段とを具備し、
前記プラント模擬手段は、前記操作信号データベースの前記操作結果情報にて示される操作信号のうち前記故障模擬データベースの前記ネットワーク故障情報において故障模擬の実行が設定されていない操作信号に基づいて前記模擬演算を行う
ことを特徴とするプラント模擬装置。
【請求項２】
監視対象のプラントと、前記プラントへ操作信号を出力するための操作装置と、複数のネットワーク回線を介して前記プラントから複数のプラント状態信号を受信する監視装置とを備えたシステムの故障模擬訓練をするプラント模擬装置において、
前記操作装置を模擬して前記操作信号を出力する操作装置模擬手段と、
前記操作装置模擬手段から出力される前記操作信号に基づいて前記プラントの模擬演算を実行し、この模擬演算により得られる前記複数のプラント状態信号を出力するプラント模擬手段と、
前記監視装置を模擬して前記プラント模擬手段から出力される前記複数のプラント状態信号を監視データとして受信する監視装置模擬手段と、
前記プラント模擬手段から出力されるプラント状態信号を示す計算結果情報と前記計算結果情報を伝送するネットワーク回線を識別するネットワーク識別情報とを対応付けて保存するプラント状態信号データベースと、
故障模擬を実行するネットワーク回線を設定するネットワーク故障情報を保存する故障模擬データベースと、
前記故障模擬データベースの前記ネットワーク故障情報を設定する故障情報設定手段とを具備し、
前記監視装置模擬手段は、前記プラント状態信号データベースの前記計算結果情報のうち前記故障模擬データベースの前記ネットワーク故障情報において故障模擬の実行が設定されていない計算結果情報を監視データとして受信する
ことを特徴とするプラント模擬装置。
【請求項３】
前記監視装置模擬手段は、前記プラント状態信号を知らせる前記監視装置の入力点を示す監視装置識別情報と前記監視装置識別情報に対応するネットワーク回線を識別するネットワーク識別情報とを対応付けて保存する入力点情報データベースを具備し、
前記プラント状態信号データベースから受信する前記プラント状態信号の表示順序を前記入力点情報データベースの前記監視装置識別情報と前記ネットワーク識別情報とに基づいて定め、前記複数のプラント状態信号を前記定めた表示順序にて表示すべく出力する
ことを特徴とする請求項２記載のプラント模擬装置。
【発明の詳細な説明】
【０００１】
【発明の属する技術分野】
本発明は、原子力発電プラント等の産業用プラントにおける訓練員が運転訓練等を行うプラント模擬装置に係わり、特に事故訓練において実機と同等の事故模擬を行う機能を有するプラント模擬装置に関する。
【０００２】
【従来の技術】
一般に、プラント模擬装置は、実プラントの制御盤を模擬した模擬制御盤および操作装置を模擬した操作模擬手段とこの模擬制御盤および監視装置を模擬した監視装置模擬手段へ出力する計算機および事故模擬等を行うためのインストラクタ用コンソール等からなっている。
【０００３】
従来、プラント模擬装置における各模擬手段間のデータは、各データに付された固有のデータ識別番号（ＰＩＤと称する）と共に書込まれ、読込まれることによりデータの取り合いが行われていた。
【０００４】
図７は、この種のプラント模擬装置の構成を示すものである。
【０００５】
図において、操作盤１または対話表示装置２から訓練員により入力される操作が操作装置模擬手段３へ入力され、操作装置模擬手段３によって操作指令１０１が作成され、操作信号として操作信号データベース４へ書き込まれる。
【０００６】
上記する操作信号データベース４は、ＰＩＤ毎に操作結果が書き込まれている。プラント模擬手段５では、操作信号データベース４から必要な操作信号１０２を取出し、ＰＩＤと操作結果とからプラントの模擬演算を実行し、得られたプラント状態信号１０３がプラント状態データベース６へ書込まれる。このプラント状態データベース６は図７に示すようにＰＩＤと計算結果とからなっている。
【０００７】
次に、プラント状態データベース６の各データは、変換テーブル７によって監視装置模擬手段８の表示順序に合わせるための変換が行われ得られる監視データ１０４が監視装置模擬手段８へ出力される。
【０００８】
一方、故障模擬を行う場合には、インストラクタ用コンソール１０より故障想定箇所のデータをＰＩＤの指定により強制的に変更させていた。例えば、図８に示すように故障模擬データベース１２はＰＩＤと故障要求フラグからなり、インストラクタ用コンソール１０の故障模擬手段１１から故障想定箇所のそれぞれのＰＩＤ一つ一つに故障要求フラグを立てて故障模擬を行っていた。
【０００９】
ここで、操作装置模擬手段３からの操作指令１０１の入力不良の故障模擬を行う場合、インストラクタ用コンソール１０に設ける故障模擬データベース１２に操作指令１０１のＰＩＤと故障要求フラグ１０５ａを入力する。これにより、故障要求フラグ１０５ａが立った操作指令１０１はプラント模擬手段５へ取込まれない。従って、プラント模擬手段５からのプラント状態信号１０３が変化せず、操作指令１０１の入力不良が模擬でき、操作装置模擬手段３の故障模擬が実施できる。
【００１０】
また、監視装置模擬手段８における監視データ１０４の入力不良の故障模擬を行う場合、インストラクタ用コンソール１０より故障模擬データベース１２にプラント状態のＰＩＤと故障要求フラグ１０５ａを入力する。これにより、故障要求フラグ１０５ａが立ったプラント状態信号１０３は監視装置模擬手段８へ取込まれない。従って、対応する監視データ１０４が変わらないため、監視データ１０４の入力不良が模擬でき、監視装置模擬手段８の故障模擬が実施できる。
【００１１】
ところで、上記するプラント模擬装置に対応する実際のプラントは、図９に示すように伝送ネットワークを介してデータ伝送が行われる。例えば、複数のネットワーク５０ａ〜５０ｎに複数の制御装置５１ａ〜５１ｎが接続され、さらに、計算機５２や操作盤５４が接続され、ネットワーク５０ａ〜５０ｎによってデータ伝送がされている。
【００１２】
かかるネットワーク５０ａ〜５０ｎの故障模擬を行う場合、インストラクタがインストラクタ用コンソール１０より図８に示す故障模擬データベース１２の故障想定箇所のＰＩＤ毎に故障要求フラグを立てて故障模擬を行っていた。
【００１３】
【発明が解決しようとする課題】
しかしながら、図７および図８に示すプラント模擬装置においては、ネットワーク単位や制御装置単位等を故障模擬するための設定作業の手間が大変であるという問題がある。
【００１４】
最近の産業用プラントでは、ＣＲＴオペレーションを利用して操作指令をネットワークを介してプラントの制御装置へ送るシステムが主流となってきている。また、制御装置もリレーシーケンスからソフトウェアによるシーケンスコントローラが採用され、多数のシーケンスが一枚のコントローラ基板に組み込まれるようになってきている。
【００１５】
上記背景の下で、従来のプラント模擬装置では、図７および図８に示すように操作装置模擬手段３とプラント模擬手段５とのデータの取り合いは各データに付された固有のデータ識別番号（ＰＩＤ）により行われていた。この方法によれば、実プラントにおけるデータの取り合いをネットワークを介して行われている場合においても、何ら変更することなく操作装置模擬手段３とプラント模擬手段５とのデータの取り合いを行うことはできる。このため、故障模擬を行う場合は、インストラクタ用コンソール１０より故障想定箇所のＰＩＤに故障要求フラグを立てることにより故障模擬可能であるが、故障想定箇所が一度に多量となるような故障模擬、例えば、実プラントにおいて操作装置からの操作指令がネットワークを介してプラントに送られているシステムのネットワーク故障や制御装置の故障模擬では、インストラクタが数百点のＰＩＤ一つ一つに対して故障要求フラグを立てる作業を行わなければならなかった。
【００１６】
また、図７に示すように、プラント模擬手段５よりプラント状態信号１０３を監視データ１０４として監視装置模擬手段８へ出力する場合、監視装置模擬手段８の表示順序に合わせるために、プラント状態データベース６に加えて、変換テーブル７を作っていたため２つのデータベースが存在していた。このため、メモリサイズが２倍必要であり、かつ、変換のための処理が必要となっていた。
【００１７】
そこで、本発明は、プラント模擬装置におけるネットワークあるいは制御装置の故障模擬の設定の手間を軽減するプラント模擬装置を提供することを目的とする。
【００１８】
【課題を解決するための手段】
請求項１の発明は、監視対象のプラントと、複数のネットワーク回線を介して前記プラントへ複数の操作信号を出力するための操作装置と、前記プラントからプラント状態信号を受信する監視装置とを備えたシステムの故障模擬訓練をするプラント模擬装置において、前記操作装置を模擬して前記複数の操作信号を出力する操作装置模擬手段と、前記操作装置模擬手段から出力される前記複数の操作信号に基づいて前記プラントの模擬演算を実行し、この模擬演算により得られたプラント状態信号を出力するプラント模擬手段と、前記監視装置を模擬して前記プラント模擬手段から出力される前記プラント状態信号を監視データとして受信する監視装置模擬手段と、訓練員の操作に応じて前記操作装置模擬手段から出力される操作信号を示す操作結果情報と前記操作信号を伝送するネットワーク回線を織別するネットワーク識別情報とを対応付けて保存する操作信号データベースと、故障模擬を実行するネットワーク回線を設定するネットワーク故障情報を保存する故障模擬データベースと、前記故障模擬データベースの前記ネットワーク故障情報を設定する故障情報設定手段とを具備し、前記プラント模擬手段は、前記操作信号データベースの前記操作結果情報にて示される操作信号のうち前記故障模擬データベースの前記ネットワーク故障情報において故障模擬の実行が設定されていない操作信号に基づいて前記模擬演算を行うことを特徴とする。
【００１９】
この手段によって、訓練員による操作入力が操作信号として操作装置模擬手段により操作信号データベースへ取込まれ保存される。この際に、取込む操作信号を実プラントで伝送するネットワーク回線を識別するネットワーク情報が一緒に操作信号データベースへ保存される一方、前もってネットワーク情報毎に故障模擬実行の有無を指標で保存する故障模擬データベースへインストラクタが故障模擬手段からネットワーク情報単位で順次故障模擬実行の有無を設定しておく。訓練が開始すると故障模擬データベースと操作信号データベースが参照され、故障模擬実行の無のネットワーク情報の操作信号のみがプラント模擬手段へ出力され、演算されたプラント状態の監視データが訓練員へ知らされる。これに対して訓練員による対応操作による操作信号が入力され訓練が進行する。これにより、ネットワーク情報単位でデータ識別番号をまとめて故障模擬実行の有無が設定されるので、設定作業の手間が軽減され、従来のようにデータ識別番号毎に故障模擬実行の有無を設定する大変な時間と手間が軽減され、正確に設定できる。また、操作信号を伝送するネットワーク回線に関する故障模擬が一括して簡単に実施できる。
【００２０】
請求項２の発明は、監視対象のプラントと、前記プラントへ操作信号を出力するための操作装置と、複数のネットワーク回線を介して前記プラントから複数のプラント状態信号を受信する監視装置とを備えたシステムの故障模擬訓練をするプラント模擬装置において、前記操作装置を模擬して前記操作信号を出力する操作装置模擬手段と、前記操作装置模擬手段から出力される前記操作信号に基づいて前記プラントの模擬演算を実行し、この模擬演算により得られる前記複数のプラント状態信号を出力するプラント模擬手段と、前記監視装置を模擬して前記プラント模擬手段から出力される前記複数のプラント状態信号を監視データとして受信する監視装置模擬手段と、前記プラント模擬手段から出力されるプラント状態信号を示す計算結果情報と前記計算結果情報を伝送するネットワーク回線を識別するネットワーク識別情報とを対応付けて保存するプラント状態信号データベースと、故障模擬を実行するネットワーク回線を設定するネットワーク故障情報を保存する故障模擬データベースと、前記故障模擬データベースの前記ネットワーク故障情報を設定する故障情報設定手段とを具備し、前記監視装置模擬手段は、前記プラント状態信号データベースの前記計算結果情報のうち前記故障模擬データベースの前記ネットワーク故障情報において故障模擬の実行が設定されていない計算結果情報を監視データとして受信することを特徴とする。
【００２１】
この手段によって、操作信号に応じて演算され、得られるプラント状態信号とこのプラント状態信号を実プラントで伝送するネットワーク回線を識別するネットワーク情報がプラント状態データベースへ保存される一方、前もってネットワーク情報毎に故障模擬実行の有無の指標を保存する故障模擬データベースへインストラクタが故障模擬手段からネットワーク情報単位で故障模擬実行の有無の指標を設定しておく。訓練が開始されるとプラント状態データベースと故障模擬データベースとが参照され、故障模擬実行の無のネットワーク情報のプラント状態信号のみが監視データとして訓練員に知らされる。これにより、ネットワーク情報単位でデータ識別番号がまとめて故障模擬実行の有無が設定されるから設定作業の手間が軽減され、従来のようにデータ識別番号毎に故障模擬実行の有無を設定する大変な手間が回避され正確に設定できる。また、プラント状態信号を伝送するネットワーク回線に関して故障模擬が一括して簡単にできる。
【００２２】
請求項３の発明は、請求項２記載の発明において、前記監視装置模擬手段は、前記プラント状態信号を知らせる前記監視装置の入力点を示す監視装置識別情報と前記監視装置識別情報に対応するネットワーク回線を識別するネットワーク識別情報とを対応付けて保存する入力点情報データベースを具備し、前記プラント状態信号データベースから受信する前記プラント状態信号の表示順序を前記入力点情報データベースの前記監視装置識別情報と前記ネットワーク識別情報とに基づいて定め、前記複数のプラント状態信号を前記定めた表示順序にて表示すべく出力することを特徴とする。
【００２３】
この手段によって、操作信号に応じて演算され、得られるプラント状態信号とこのプラント状態信号を実プラントで伝送するネットワーク回線を識別するネットワーク情報とがプラント状態データベースへ保存される。そして、プラント状態データベースのデータが監視装置模擬手段へ送られ、監視装置模擬手段によって入力点情報データベースが参照され、ネットワーク情報に基づいて監視データが作成され訓練員へ知らされる。これによって、従来のようにプラント状態信号と監視データとを変換するための変換テーブルが不要となる。
【００２４】
【発明の実施の形態】
以下、本発明の実施例について図面を参照して説明する。
【００２５】
図１は、本発明の第１実施例を示すプラント模擬装置の構成図であり、図１が従来例を示す図７および図８と同一符号は、同一部分または相当部分を示し、両者が異なる主な点は、操作信号データベース４と故障模擬データベース１２の構成を異にし、操作信号データベース４Ａと故障模擬データベース１２Ａとしたことである。
【００２６】
ここで、操作信号データベース４Ａは、ＰＩＤエリア４Ａ１と操作結果エリア４Ａ２とネットワーク情報エリア４Ａ３とから構成されている。また、故障模擬データベース１２Ａは、ネットワーク情報エリア１２Ａ１と故障要求フラグエリア１２Ａ２とからなっている。
【００２７】
以上の構成で、訓練に先立ってインストラクタ用コンソール１０の故障模擬データベース１２Ａには、ネットワーク情報、例えば、図９に示すネットワーク５０ａ〜５０ｎに対応する識別子ａ，ｂ−ｎと故障要求フラグエリア１２Ａ２に実行の有無「０」または「１」がネットワーク情報毎に設定される。
【００２８】
訓練員が操作盤１または対話表示装置２から操作すると操作装置模擬手段３によって操作指令１０１が操作信号データベース４ＡにＰＩＤ毎に操作結果とネットワーク情報とが保存される。
【００２９】
次に、プラント模擬手段５では、操作信号を取込む際に、操作信号データベース４Ａのネットワーク情報に対応するインストラクタ用コンソール１０に設ける故障模擬データベース１２Ａの故障要求フラグが参照される。この場合に対応するネットワーク情報の故障要求フラグが「１」のとき操作信号１０２の内の対応するＰＩＤの操作信号１０２の出力が禁止される。また、対応するネットワーク情報の故障要求フラグが「０」のとき、対応する操作信号１０２が出力される。
【００３０】
続いて、操作信号１０２がプラント模擬手段５によって模擬演算され、その結果が図７と同様のプラント状態データベース６へ保存され、変換テーブル７を経て監視データ１０４が監視装置模擬手段８へ入力され、操作盤１および対話表示装置２へ出力される。操作盤１および対話表示装置２では、訓練員が故障模擬に対してネットワーク情報の単位で対応操作がされる。
【００３１】
このように第１実施例によれば、訓練員が操作盤１および対話表示装置２から操作した結果が操作装置模擬手段３により、操作信号データベース４に記憶される。この際、操作信号データベース４には、操作結果と共に、操作信号のネットワーク情報も併せて記憶される。これにより、操作信号をプラントに送るネットワークの故障模擬を行う場合、従来ではインストラクタ用コンソール１０より該当するデータベースの識別番号（ＰＩＤ）に一つ一つ故障フラグを立てていたが、該当するネットワーク情報だけに故障フラグを立てるだけで故障模擬を行うことが可能となる。
【００３２】
従って、該当するデータベースのＰＩＤが数百点もあれば、従来インストラクタが大変な手間と時間を要していたが、ネットワーク情報としてまとめて設定するために極めて短時間に正確に設定することができる。
【００３３】
図２は、本発明の第２実施例を示すプラント模擬装置の構成図である。
【００３４】
図２が従来例を示す図７および図８と同一符号は、同一部分または相当部分を示し、両者が異なる主な点は、プラント状態データベース６と故障模擬データベース１２の構成を異にし、プラント状態データベース６Ａと故障模擬データベース１２Ａとしたことである。
【００３５】
ここで、プラント状態データベース６Ａは、ＰＩＤエリア６Ａ１と計算結果エリア６Ａ２とネットワーク情報エリア６Ａ３とから構成されている。また、故障模擬データベース１２Ａは、ネットワーク情報エリア１２Ａ１と故障要求フラグエリア１２Ａ２とからなっている。
【００３６】
以上の構成で、訓練開始前に予めインストラクタがインストラクタ用コンソール１０に設ける故障模擬データベース１２Ａのネットワーク情報エリア１２Ａ１にネットワーク情報を設定する。例えば、図９のネットワーク５０ａ〜５０ｎに対応する識別子ａ，ｂ−ｎを保存したネットワーク情報エリア１２Ａ１に対応する故障要求フラグエリア１２Ａ２へ実行の有無「０」，「１」をネットワーク情報単位毎に設定する。
【００３７】
次に、訓練員が操作盤１または対話表示装置２から操作するとプラント模擬手段５によって操作信号１０２が取込まれ模擬演算がされＰＩＤと計算結果とネットワーク情報とがプラント状態データベース６Ａへ保存される。
【００３８】
監視装置模擬手段８は、監視データ１０４を取込むとき対応するプラント状態信号１０３のネットワーク情報に対応するインストラクタ用コンソール１０の故障模擬データベース１２Ａが参照される。この場合、ネットワーク情報に対応する故障要求フラグが「１」のとき、監視データ１０４としての出力が禁止される一方、プラント状態信号１０３の内で、ネットワーク情報に対するインストラクタ用コンソール１０の故障模擬データベース１２Ａが「０」のとき監視データ１０４として出力される。
【００３９】
例えば、図２に示すプラント状態データベース６ＡのＰＩＤが「ＹＹＹ」のとき、（図示４段目）ネットワーク情報が「ｂ」である。この場合に故障模擬データベース１２Ａのネットワーク情報が「ｂ」に対応する故障要求フラグが「１」である。従って、この場合にはプラント状態データベース６ＡからＰＩＤ「ＹＹＹ」の監視データ１０４の出力が禁止される。
【００４０】
このように、第２実施例によれば、プラント状態信号１０３がプラント模擬手段５により計算され、その結果がプラント状態データベース６Ａに記憶される。この際、プラント状態データベース６Ａには、プラント状態信号と共に、プラント状態のネットワーク情報も併せて記憶される。これにより、プラント状態を監視装置模擬手段８に送るネットワークの故障模擬を行う場合、従来ではインストラクタ用コンソール１０より該当するデータベースの識別番号（ＰＩＤ）に一つ一つ故障要求フラグを立てていたが、該当するネットワーク情報だけに故障要求フラグを立てるだけでまとめて故障模擬を行うことが可能となる。
【００４１】
従って、該当するデータベースのＰＩＤが数百点もあれば、従来インストラクタが大変な手間と時間を要していたが、ネットワーク情報としてまとめて設定するために極めて短時間に正確に設定することができる。
【００４２】
図３は、本発明の第３実施例を示す構成図である。
【００４３】
図３において、従来例を示す図７のプラント模擬手段５とプラント状態データベース６の代わりに、実プラントの制御装置を模擬実行する制御装置模擬手段１３と制御状態データベース１４とを備えている。
【００４４】
ここで、制御状態データベース１４は、制御状態データとこの制御状態データを出力する実プラントの制御装置を識別する制御装置情報とを保存する。制御装置模擬手段１３は、操作信号を取込み対応する制御装置によって模擬制御演算をして得られる制御状態データを制御状態データベース１４へ保存する。
【００４５】
以上の構成で、制御装置模擬手段１３では、操作信号１０２が取込まれ模擬演算される。例えば、図４に示すように制御装置模擬手段１３では、一つの制御手段として信号ＡＡと信号ＡＢと信号ＡＣとが入力し出力信号ＡＤとするＯＲ回路１３ａと、出力信号ＡＤと信号ＡＥが入力し出力信号ＡＦとするＡＮＤ回路１３ｂとさらに、一つの制御手段として入力信号ＢＡと入力信号ＢＢと入力信号ＢＣとが入力し出力信号ＢＤのＡＮＤ回路１３ｃと信号ＡＦと信号ＢＤとを入力として出力信号ＢＥとするＯＲ回路１３ｄがある。そして、これらには、ある単位制御手段をまとめた制御装置情報１０６が図示「イ」、「ロ」のように設定されている。
【００４６】
次に、計算された制御状態データ１０７が図５に示す制御状態データベース１４へ制御装置情報１０６と共に記憶される。この制御装置情報１０６は、実プラントの制御装置が使用している制御装置情報と同一のものである。
【００４７】
ここで、故障模擬を行う場合には、図５に示す故障模擬データベース１２Ｂの情報エリア１２Ｂ１へ予め制御装置情報１０６を登録しておき、インストラクタ用コンソール１０より故障模擬時に該当する制御装置情報１０６に対応して故障要求フラグエリア１２Ｂ１へフラグを立てる。この故障要求フラグがたっている制御装置情報１０６が付加されてる制御状態データ１０７は、実プラントの制御装置の故障時の挙動に従い、制御状態データ１０７が強制的に変更される。
【００４８】
例えば、ある制御装置について制御装置情報が同じもの、例えば、「イ」については、故障模擬データベース１２Ｂの対応する故障要求フラグが「１」であるから監視データ１０４の出力が禁止される。
【００４９】
このように第３実施例によれば、制御装置の状態が制御装置模擬手段１３により計算され、その結果が制御状態データベース１４に記憶される。この際、制御状態データベース１４には、制御状態データ１０７と共に、制御装置をまとめた制御装置情報も併せて記憶される。これにより、制御装置の故障模擬を行う場合、従来ではインストラクタ用コンソール１０より該当するデータベースの識別番号（ＰＩＤ）に一つ一つ故障要求フラグを立てていたが、該当する制御装置情報毎に故障要求フラグを立てるだけで故障模擬を行うことが可能となる。
【００５０】
従って、故障模擬するＰＩＤが数百点あれば、大変な手間と時間を要し、間違いのおそれもあり、確認のための手間を含めると極めて多くの時間を要するが、第３実施例によれば、極めて簡単に正確に故障フラグの設定ができる。
【００５１】
図６は、本発明の第４実施例を示すプラント模擬装置の構成図である。
【００５２】
図６が従来例の図７と同一符号は、同一部分または相当部分を示し、図６はプラント状態データベース６の構成を異にしプラント状態データベース６Ｂとする一方、変換テーブル７の代わりに監視装置模擬手段８内に入力点情報データベース１５を設けている。
【００５３】
プラント状態データベース６Ｂは、プラント状態信号と共にこのプラント状態信号を実プラントにおいて伝送するネットワーク回線を識別するネットワーク情報とを保存する。入力点情報データベース１５は、訓練員へプラント状態信号を知らせる監視装置の入力点を識別する監視装置識別番号とネットワーク情報とを保存する。
【００５４】
以上の構成で、プラント模擬手段５からのプラント状態信号１０３が、プラント状態データベース６Ｂへ保存される。プラント状態データベース６ＢはＰＩＤエリア６Ｂ１と計算結果エリア６Ｂ２とネットワーク情報エリア６Ｂ３とからなっている。
【００５５】
次に、監視装置模擬手段８がプラント状態データベース６Ｂからデータを取込む。この際に監視装置模擬手段８内に備える入力点情報データベース１５が参照される。この入力点情報データベース１５は、監視装置識別番号１５Ａ１とネットワーク情報１５Ａ２とからなっている。監視装置模擬手段８は、入力点情報データベース１５のネットワーク情報を参照して同じネットワーク情報の監視装置識別番号をまとめ表示順序を定めて操作盤１または対話表示装置２へ出力する。
【００５６】
このように第４実施例によれば、プラント状態がプラント模擬手段５により計算され、その結果がプラント状態データベース６Ｂに記憶される。この際、プラント状態データベース６Ｂには、プラント状態と共に、プラント状態のネットワーク情報も併せて記憶される。監視装置模擬手段８は、ネットワーク情報のデータベースを介して、プラント状態を取込む。これにより、従来ではプラント状態を監視装置模擬手段８に取込む場合、監視装置の表示順序に変換を行う変換テーブル７を作っていたが、この変換テーブル７を作ることなく、監視装置模擬手段８へ直接入力することが可能となる。
【００５７】
【発明の効果】
以上説明したように本発明によれば、ネットワーク回線に関する故障模擬の実行をネットワーク回線単位で設定できるようにしたので、故障模擬の設定作業の手間が軽減される。
【図面の簡単な説明】
【図１】  本発明の第１実施例を示すプラント模擬装置の構成図である。
【図２】  本発明の第２実施例を示すプラント模擬装置の構成図である。
【図３】  本発明の第３実施例を示すプラント模擬装置の構成図である。
【図４】  図３に備える制御装置模擬手段の一例を示す説明図である。
【図５】  図３に備える制御状態データベースの一例を示す説明図である。
【図６】  本発明の第４実施例を示すプラント模擬装置の構成図である。
【図７】  従来例を示すプラント模擬装置の構成図である。
【図８】  図７に備えるインストラクタ用コンソールの故障模擬データベースの構成を示す説明図である。
【図９】  実プラントのネットワークを示す系統図である。
【符号の説明】
１，５４…操作盤
２…対話表示装置
３…操作装置模擬手段
４…操作信号データベース
５…プラント模擬手段
６…プラント状態データベース
７…変換テーブル
８…監視装置模擬手段
１０…インストラクタ用コンソール
１１…故障模擬手段
１２…故障模擬データベース
１３…制御装置模擬手段
１４…制御状態データベース
１５…入力点情報データベース
５０ａ〜５０ｎ…ネットワーク
５１ａ〜５１ｎ…制御装置
５２…計算機
【図１】
0003752276.tif 000002
【図２】
0003752276.tif 000003
【図３】
0003752276.tif 000004
【図４】
0003752276.tif 000005
【図５】
0003752276.tif 000006
【図６】
0003752276.tif 000007
【図７】
0003752276.tif 000008
【図８】
0003752276.tif 000009
【図９】
0003752276.tif 000010